(57)【要約】コンテンツ移転のための方法及びシステム。ある実施形態では、サーバはコンテンツのデジタルを保存し、所有権に基づきデジタル・コンテンツへのアクセスを限定する。ある実施形態では、サーバはそのシステムに保存されたコンテンツのデジタル及び物理コピーの所有権移転に備える。
2007535730.tif 000002
【特許請求の範囲】
【請求項１】
複数メンバ間での複数メディア品目のいずれか１つの移転を促進するためのメディア保存システムであって、
複数のメディア品目を保存するように構成された保存デバイスと；
保存されたメディア品目の所有権を表示する第１データ要素、及びそのメディア品目の販売価値を表示する第２データ要素とを含み、各複数メディア品目と関連する複数データ要素を保存するようにプログラムされたデータベース、とを備え；
前記データベースは、
メディア品目へのアクセスをその対応する所有者に限定し、そして
前記メディア品目の所有者を変更するために前記第１データ要素を修正する、
ようにさらにプログラムされる、メディア保存システム。
【請求項２】
受け取られたメディア品目の物理コピーを保存するための保存庫を更に備える、請求項１に記載のメディア保存システム。
【請求項３】
前記メディア品目の対応する物理コピーは前記保存デバイスに保存された各メディア品目の保存庫にある、請求項２に記載のメディア保存システム。
【請求項４】
各メディア品目は前記保存庫に保存された対応する物理コピーの中で本物のコピーであることを証明する証明デバイスを更に備える、請求項３に記載のメディア保存システム。
【請求項５】
複数メディア品目の少なくとも１つに透かしを入れる透かし装置を更に備える、請求項１に記載のメディア保存システム。
【請求項６】
前記保存デバイスは複数の外部システムの少なくとも１つからメディア品目を受け取る、請求項１に記載のメディア保存システム。
【請求項７】
前記データベースは前記メディア品目の歴史的所有権情報を表示するデータ要素を保存するように更にプログラムされる、請求項１に記載のメディア保存システム。
【請求項８】
非デジタル・コンテンツをデジタル化するデジタイザを更に備える、請求項１に記載のメディア保存システム。
【請求項９】
前記デジタイザは前記メディア品目の所有者の近くにある、請求項８に記載のメディア保存システム。
【請求項１０】
前記デジタイザは前記メディア保存システムから離れて配置され、そして交信径路を介して前記デジタル化されたメディア品目を伝送する、請求項８に記載のメディア保存システム。
【請求項１１】
前記保存デバイスは複数の外部システムの少なくとも１つから前記メディア品目を受け取る、請求項１に記載のメディア保存システム。
【請求項１２】
複数の外部システムの少なくとも１つは移動デバイスにより前記メディア品目を伝送するように指示される、請求項１１に記載のメディア保存システム。
【請求項１３】
前記メディア品目は電子デバイス上で再生される、請求項１に記載のメディア保存システム。
【請求項１４】
保存されたメディア品目の所有者を表示する第１データ要素と、前記メディア品目のポイント値を表示する第２データ要素と、そしてメンバがそのメンバの勘定に有するポイント数を表示する第３データ要素とを含み、複数メディア品目を保存するように構成された保存デバイスと、各複数メディア品目に関連する複数データ要素を保存するようにプログラムされたデータベースとを備えるメディア保存システムにおいて、
複数メディア品目の１つの移転を促進する方法であって、
前記メディア品目の所有者により複数メディア品目の１つのポイント値要素を提供し；
購入メンバにより前記データベースを調査し、そして移転するための複数メディア品目の１つを選択し；
前記購入メンバは前記選択されたメディア品目のポイント値要素と少なくとも同じ数のポイントを前記メンバ勘定に有することを証明し；
前記購入メンバの勘定から前記ポイント値を差し引き、そして前記所有者の勘定に入金し；
前記対応する購入メンバの第一データ要素を修正し；
前記対応する購入メンバに対し前記選択されたメディア品目へのアクセスを限定する；
ことからなる方法。
【請求項１５】
保存庫の各複数メディア品目の対応する物理コピーを保存することから更になる、請求項１４に記載の方法。
【請求項１６】
各複数メディア品目は前記保存庫に保存された対応する物理コピーの中で本物のコピーであることを証明することから更になる、請求項１５に記載の方法。
【請求項１７】
前記購入メンバへ前記選択されたメディア品目の対応する物理コピーを発送することから更になる、請求項１５に記載の方法。
【請求項１８】
前記メディア品目の歴史的所有権情報を表示する保存されたデータ要素を修正することから更になる、請求項１４に記載の方法。
【請求項１９】
前記データベースの調査及び前記複数メディア品目からの1つの選択は電子デバイスにより伝達される、請求項１４に記載の方法。
【請求項２０】
電子デバイス上で前記選択されたメディア品目を再生することから更になる、請求項１４に記載の方法。
【請求項２１】
保存されたメディア品目の所有者を表示する第１データ要素と、前記メディア品目のポイント値を表示する第２データ要素と、そしてメンバがそのメンバの勘定に所有するポイント数を表示する第３データ要素とを含み、複数メディア品目を保存するように構成された保存デバイスと、各複数メディア品目に関連する複数データ要素を保存するようにプログラムされたデータベースとを備えるメディア保存システムにおいて、
複数メディア品目の１つの移転を促進する方法であって、
購入メンバにより所望される複数メディア品目の１つのポイント値要素を提供し；
所有者により所望される複数メディア品目の１つを移転するために前記データベースを調査し；
前記購入メンバは前記選択されたメディア品目のポイント値要素と少なくとも同じ数のポイントを前記メンバ勘定に有することを証明し；
前記購入メンバの勘定から前記ポイント値を差し引き、そして前記所有者の勘定に入金し；
前記対応する購入メンバの第１データ要素を修正し；
前記対応する購入メンバに対し前記選択されたメディア品目へのアクセスを限定する；
ことからなる方法。
【請求項２２】
保存庫の各複数メディア品目の対応する物理コピーを保存することから更になる、請求項２１に記載の方法。
【請求項２３】
各複数メディア品目は保存庫に保存された対応する物理コピーの中での本物のコピーであることを証明することから更になる、請求項２２に記載の方法。
【請求項２４】
前記選択されたメディア品目の対応する物理コピーを前記購入メンバへ発送することから更になる、請求項２２に記載の方法。
【請求項２５】
前記メディア品目の歴史的所有権情報を表示する保存されたデータ要素を修正することから更になる、請求項２２に記載の方法。
【請求項２６】
前記データベースの調査及び複数メディア品目からの１つの選択は電子デバイスにより伝達される、請求項２１に記載の方法。
【請求項２７】
電子デバイス上に前記選択されたメディア品目を再生することから更になる、請求項１９に記載の方法。
【請求項２８】
保存されたメディア品目の所有者を表示する第１データ要素、前記メディア品目のポイント値を表示する第２データ要素、及びメンバがそのメンバの勘定に有するポイント数を表示する第３データ要素を含み、複数メディア品目を保存するように構成された保存デバイスと、各複数メディア品目に関連する複数データ要素を保存するようにプログラムされたデータベースとを備えるメディア保存システムにおいて、
複数メディア品目の１つの移転を促進する方法であって、
前記メディア品目の所有者により複数メディア品目の１つを販売することに興味を示し；
複数購入メンバの少なくとも１つの間で入札プロセスを促進し；
複数購入メンバの少なくとも１メンバから成功する購入メンバを選択し；
前記成功する購入メンバは前記選択されたメディア品目のポイント値要素と少なくとも同じ数のポイントを前記メンバ勘定に有することを証明し；
前記成功する購入メンバの勘定から前記ポイント値を差し引き、そして前記所有者の勘定に入金し；
前記対応する成功する購入メンバの第一データ要素を修正し；
前記対応する成功する購入メンバに対し、前記選択されたメディア品目へのアクセスを限定する；
ことからなる方法。
【請求項２９】
保存庫の各複数メディア品目の対応する物理コピーを保存することから更になる、請求項２８に記載の方法。
【請求項３０】
各複数メディア品目は保存庫に保存された対応する物理コピーの中での本物のコピーであることを証明することから更になる、請求項２９に記載の方法。
【請求項３１】
前記選択されたメディア品目の対応する物理コピーを前記購入メンバへ発送することから更になる、請求項２９に記載の方法。
【請求項３２】
前記メディア品目の歴史的所有権情報を表示する保存されたデータ要素を修正することから更になる、請求項２８に記載の方法。
【請求項３３】
前記データベースの調査、及び複数メディア品目の１つの選択は電子デバイスにより伝達される、請求項２８に記載の方法。
【請求項３４】
電子デバイス上で前記選択されたメディア品目を再生することから更になる、請求項２８に記載の方法。
【請求項３５】
複数メディア品目の１つの移転を促進する方法であって、
複数メディア品目を保存し；
各前記複数メディア品目の対応する物理コピーを維持し；
各複数メディア品目を対応する所有者と関連させ；
アクセス権をそれらの対応する所有者に基づく各メディア品目へのアクセス権を限定し；
複数メディア品目のメディア品目と価値を関連させ、
前記メディア品目の所有権移転により、前記メディア品目と前記所有者との関連を変更することからなる方法。
【請求項３６】
前記移転されたメディア品目の対応する物理コピーを発送することから更になる、請求項３５に記載の方法。
【請求項３７】
各複数メディア品目は前記維持された対応する物理コピーの中での本物のコピーであることを証明することから更になる、請求項３５に記載の方法。
【請求項３８】
前記メディア品目の歴史的所有権情報を表示する保存されたデータ要素を修正することから更になる、請求項３５に記載の方法。
【請求項３９】
電子デバイス上に前記選択されたメディア品目を再生することから更になる、請求項３５に記載の方法。
【発明の詳細な説明】
【背景技術】
【０００１】
デジタル・コンテンツの売買及び所有権移転のためのシステムと方法を、オーディオ・コンパクト・ディスク（ＣＤ）、デジタル多用途ディスク（ＤＶＤ）、デジタル記憶システム、オリジナル電子（デジタル）コンテンツ及び他のデジタル・コンテンツの売買に関する特定の考察にて概して本明細書で論ずる。
【発明の開示】
【０００２】
本発明の態様は、オーディオＣＤ又はＤＶＤおよび他のデジタル・コンテンツのようなデジタル・コンテンツを売買するためのシステム及び方法を提供する。しかし、本発明の態様はＣＤ又はＤＶＤに限定せず、本、雑誌、ソフトウェア、ファームウェア、コンピュータ・ゲーム等を含む、他の種類のデジタル・コンテンツの売買に使用してもよい。更に本発明の一態様は、アナログ・オーディオ・カセット、シート音楽、写真等のようなデジタル・フォーマットに変換できるいずれの種類のコンテンツをも売買する。
【０００３】
本発明のある実施形態では、売買システムは登録会員（メンバ）が他の登録会員とデジタル化されたコンテンツ（コンテンツ）を売買することを可能にする。ある実施形態では、そのシステムは任意コンテンツのユニークな物理メディア・コピーと、そのコンテンツのユニークな物理メディア・コピーを所有する、単独メンバとの間の１対１の関係を必要とするように構成される。このシステムは、任意コンテンツのユニークな物理メディア・コピーと、ユニークな物理メディア・コピーのデジタル化されたコピーと、そしてそのコンテンツのユニークな物理メディア・コピーを所有する単独メンバとの間の１対１対１の関係を必要とするように構成される。このシステムは任意コンテンツのユニークな電子（又はデジタル）メディア・コピーと、そのコンテンツのユニークなオリジナル電子（又はデジタル）メディア・コピーを所有する単独メンバとの間の１対１の関係を必要とするように構成される。このシステムは、任意コンテンツのユニークな電子（又はデジタル）メディア・コピーと、ユニークなオリジナル電子（又はデジタル）メディア・コピーの複製デジタル・コピーと、そしてそのコンテンツのユニークなオリジナル電子（又はデジタル）メディア・コピーを所有する単独メンバとの間の１対１対１の関係を必要とするように構成される。このようなシステムは著作権法を順守すること、及びコンテンツの所有者が彼等の財産の所有権を売買又は販売し、そして移転することを援助するために有用である。
【０００４】
所有権の履歴、そのコンテンツを含む物理そして／又はデジタル・メディアの保管、及び他の関係する詳細のような、コンテンツの所有権に関する情報は、このシステムにより保存される。更に、歴史的所有権情報は暗号化され、また所有権又は保管の移転の間にそのメディアについて行く。
【０００５】
メンバは売買サービスを契約し、そして彼等の名前、住所、電子メール・アドレス、請求やクレジット・カード情報等のような色々な会計情報を提供する。ある実施形態では、メンバ確認は、多くの既知技術を使用して、システム・プロバイダにより証明される。所望コンテンツが別のメンバから入手できない場合、メンバはまたシステム・プロバイダから新コンテンツを購入してもよい。
【０００６】
メンバは売買されるコンテンツを詳述する書類を記入することでそのシステムと取引するためにコンテンツを提出する。その書類は、ウェブサイトまたは予め印刷された紙の書類を介して電子的に記入される。そのコンテンツについての情報には、コンテンツ名、コンテンツ作者、コンテンツの物理メディアの種類（例えばＣＤ、ＤＶＤ、カセット等）のような欄がある。一旦そのコンテンツを詳述する情報が提供されると、メンバはその物理又はデジタル・コピーを配信し、又は第三者や他のソースへそのコンテンツの物理又はデジタル・コピーをその売買システム・プロバイダへ送信させる。そのメンバはまた何ポイント又は最低何ポイントを、メンバは別のメンバへのそのコンテンツの売買のために受けたいかを表示する。
【０００７】
本発明のある実施形態で、バーコード、磁気帯、又は他の同様なデバイスが受け取られた物理コンテンツのより迅速な追跡、及び入力を促進するために使用される。そのシステム・プロバイダへの発送は通常の郵便又は他の発送方法により達成される。ユーザ、第三者又は他のソースからのデジタル・コンテンツの配信もまた通信ネットワークを介して促進される。本発明のある実施形態では、システム・プロバイダは、その提出品が本物であることを証明し、これによってメンバにその提出されたコンテンツへ直ちにアクセスすることを許可する、自動受け取りシステムを含み、物理又はデジタル・コンテンツのいずれかを受け取るための遠隔場所を操作する。更にそのシステム・プロバイダはその配信されたコンテンツのコピーはその提出書類の記述と同一であり、そのコンテンツは本物であり、コンテンツの物理コピーは欠陥等がないことを確認することができる。更に、そのシステムは、自動遠隔受け取りシステムを含み、ＤＶＤ又はＣＤ等のような物理メディア上は勿論のこと、コンピュータ・チップ、ディスク・ドライブ、メモリ・チップ、メモリ・スティック、又は他の電子式デジタル記憶デバイスのような多くの電子式フォーマット上に保存されたコンテンツを収容する。
【０００８】
コンテンツを受け取ると、システム・プロバイダはそのコンテンツがまだデジタル化されたフォーマットになっていない場合は、コンテンツ・ライブラリへ保存するためにそのコンテンツをデジタル化する。本発明のある実施形態において、メンバは保存のためそのコンテンツをデジタル化する。システム・プロバイダもＣＤ又はアルバム・カバーのようなコンテンツのパッキングからどのような作品でもセーブし、又は別ソースからその作品を任意に得る。プロバイダは次に、そのコンテンツはそのメンバから受け取り、そしてコンテンツ・ライブラリへ保存されていることを反映させるためそのコンテンツ・データベースを更新する。もし各コンテンツの物理又はコピーと単独メンバとの間の１対１関係が必要でなければ、プロバイダは、そのコンテンツはそのメンバにより受け取られたが、その受け取られたコンテンツの複製コピーはそのコンテンツ・ライブラリへ入れていないことを反映させるために、そのコンテンツ・データベースを単に更新するだけである。プロバイダもその電子（又はデジタル）コンテンツはそのメンバにより受け取られ、そしてその受け取られたコンテンツのコピーをそのコンテンツ・ライブラリへ入れることを反映させるためにそのコンテンツ・データベースを単に更新するだけである。一旦そのコンテンツ・データベースはそのメンバが彼等のコンテンツのコピーを提出していることを反映させるために更新されると、そのメンバは、ポイント数又はクレジットや価値のある対価の他の手段との変換で、そのコピーが売買され又はそのコンテンツの所有権が別のメンバへ移転されることを許可する。そのコンテンツを受け取ると、プロバイダもそのシステムによる更なる確認のため、受け取られた物理コンテンツに貼付するため、ラベルを予め印刷し、その所有者に物理的又は電子的に送付する。同様に、予め印刷されたラベルも、以下に述べるように、システムによる更なる確認のため、コンテンツを電子的に得るメンバへ物理的又は電子的に送付される。更に、以下で述べるように、メンバがコンテンツを電子的に得た後に、予め印刷されたラベルの付いた適当な空の物理メディアがそのメンバへ送付され、これにより、そのメンバはその空の物理メディア上で得られたコンテンツを保存しかつ使用することができる。これにより保存された物理コンテンツ及びそれを提示するメンバのシステムによるこれからの確認が容易になる。
【０００９】
一実施形態では、システムのメンバは、所望するコンテンツに対してポイント、クレジット又は他の価値のある対価を売買することを要求する。即ち、別のメンバの所望するコンテンツの購入、又は保存された物理又はデジタル・コンテンツの所有権の移転、又はこれらの両方である。従って、メンバは所望コンテンツのためにそのコンテンツ・データベースを調査する。この調査にはコンテンツ名、作者、日付、ジャンル、フォーマット、必要なポイント又はその他欄のような、コンテンツ・データベース欄のいずれもキーとして使用できる。一旦メンバが売買又は購入するためコンテンツを選択すると、システムはコンテンツ・データベースを更新し、所有権を新メンバへ移動させる。もしそのメンバがそのコンテンツの物理コピーを受け取ることを望むならば、プロバイダはそのコンテンツの物理コピーをそのメンバへ発送する。
【００１０】
メンバはまたシステム上でまだ利用できないコンテンツを予約する。一実施形態で、予約メンバは、そのコンテンツに対して交換しようとする売買ポイント数を特定し、そして別のメンバがそのコンテンツを提出（そして売買ポイント数が十分であると仮定して）すると直ぐに、提出によるトランズアクションは自動的に終了する。同様に、メンバはどのコンテンツが利用可能かだけでなく、どのコンテンツを望むか、そしてそれに対し何ポイント支払うつもりかを調べる。
【００１１】
この売買システムはポイント売買システムを使用している。メンバは彼等のコンテンツに対し売買ポイント値を割当てる。その売買ポイント値はそのコンテンツを売買するポイント数を表示する要求ポイントが大きい程、その所有者によりそのコンテンツに付与される値は大きくなる。更にメンバは何ポイントでもコンテンツを売買したくないことを表示してもよい。更にメンバはまた彼等がコンテンツ売買のための提案を受け入れるか、明示的にいかなる売買ポイント値も割当てないことを表示してもよい。
【００１２】
本発明の一実施形態で、メンバは金銭で又はシステム・プロバイダの認める他の価値ある対価で売買ポイントを購入してもよい。同様に、システム・プロバイダは彼等のコンテンツと交換でメンバへ価値のある対価を提供してもよい。この発明の一実施形態では、メンバは他のメンバ又は非会員と彼等の売買ポイントを販売又は売買してもよい。
【００１３】
この発明の一実施形態で、メンバは、そのコンテンツ全体を売買するのではなく、コンテンツの一部（例えば音楽アルバムからの歌）を売買してもよい。プロバイダはまたメンバがそのコンテンツの残りの部分を別の会員へ売買することを許可することを選択してもよい。コンテンツの一部を所有するメンバ（即ち、音楽アルバムからの何曲かの歌）はその残りの部分を購入し、これにより再度そのコンテンツ全体を纏めてもよい。そのコンテンツの部分を代替可能（即ちメンバはそのコンテンツ全体を再度まとめるために、その歌の同じ版を購入する必要がない）か、又は代替不能（即ちそのコンテンツ全体を再度まとめるため、そのコンテンツのオリジナルな部分全てを追跡し、購入しなければならない）として取り扱ってよい。更にメンバはまた彼等のコンテンツ又は彼等のコンテンツの部分をレンタル又はリースにさえしてもよい。
【００１４】
本発明の一実施例で、メンバはそのコンテンツのデジタル化版を使用し、一方それはコンテンツ・ライブラリへ保存される。これによりシステムがメンバのための売買空間として機能できるだけでなく、メンバのための保存空間及び再生機能として働くことができる。本発明の一実施形態で、コンテンツ・データベースは、その所有メンバに対し、そのコンテンツへのアクセスを限定するように、又は他のメンバによる他の色々なレベルでのアクセスを許可するようにプログラムされる。アクセスの限定は、そのコンテンツに対応するデータベース入力を設定することにより、そしてこれはそのコンテンツ所有者へ必要なように達成される。
【００１５】
この発明の一実施例形態で、システムをコンテンツに対する競争入札を許可し、促進するように構成してもよい。一実施形態で、メンバはコンテンツの直接売買をとにかく提案する。ここで述べるシステムは、デジタル化コンテンツに限定されず、タイムシェアー又は分割所有権、記念品及び他の形の収集品、自動車等を含み、多くの種類の財産へ拡大してよいことはこの技術の熟練者には明らかであろう。本発明を実施するため、他の代替案及び実施形態もまたここで述べられ、そして詳細説明の項で以下に更に述べる。
【発明を実施するための最良の形態】
【００１６】
付属図面と関連して以下に述べる詳細説明は本発明の態様に応じて提供されたコンテンツ売買システムの現在の好適な実施形態の説明として意図され、そして本発明が構築され、又は利用される唯一の形体を表示することを意図していない。この説明は図示された実施形態と関連して本発明を構築し、そして使用のための特徴及びステップを述べる。本発明の精神及び範囲内に包含されることをまた意図する、異なる実施形態により同じ又は同等の機能及び構造が達成されることは理解されるべきである。
【００１７】
図１について、オーディオＣＤ又はＤＶＤ及び他のデジタル・コンテンツのようなデジタル・コンテンツを売買するための売買システム１０１は通信リンク１１５を介してコンピュータ・ネットワーク１１３へ接続される。例によって、一実施形態で、コンピュータ・ネットワーク１１３は、インターネット、会社又はキャンパスのイントラネット等である。売買システム１０１はシステム・ネットワーク１０３、ウェブ・サーバ１０７、デジタル化サーバ１０５、コンテンツ・データベース１０９及びコンテンツ・ライブラリ１１１を含むいくつかの要素からなる。売買システム１０１は各々が夫々通信リンク１１７、１１９、及び１２１を介してインターネット１１３へ接続された、１つ以上の電子デバイス１２３、１２５、１２７を介して多くのメンバと交信する。一実施形態で、電子デバイス１２３、１２５、１２７には、パソコン、ｉＰｏｄ又はセルラ電話のような移動又は無線デバイス、又はケーブル又は衛星テレビ・セットトップ・ボックス等がある。
【００１８】
そのウェブ・サーバ１０７は、メンバが売買システム１０１と情報交換することを可能にするインタフェースを提供する。ウェブ・サーバ１０７はそのコンテンツ・データベース１０９に保存された情報により、その売買システム１０１へアクセスするに際し、各メンバを認証するようにプログラムされる。
【００１９】
コンテンツ・データベース１０９は、各メンバとメンバが所有する、その売買システム１０１に保存されたコンテンツについての情報を保存するリレーショナル・データベースである。更にコンテンツ・データベース１０９は、多くの欄又はデータ欄、又は各メンバのメディア品目（コンテンツ）に関する要素でプログラムされる。メンバにより所有される各コンテンツ品目のために保存されたデータには、発生年次、ジャンル、最初の販売の発生、所有権履歴及びそのコンテンツに関する他の記述情報がある。更にメンバがそのコンテンツの彼の所有権と交換に要望する売買ポイント数もまたそのコンテンツ・データベース１０９に保存される。
【００２０】
コンテンツ・ライブラリ１１１はメンバにより所有されるコンテンツ品目を保存する。本発明の一実施形態で、デジタル化されたコンテンツはＣＤオーディオのＭＰ３ファイル、ＤＶＤビデオのＭＰＥＧファイルを含む。本発明の他の実施形態には、他の種類のコンテンツ品目があり、これはこの技術に精通する人には理解できるだろう。コンテンツは単独又は複数のファイルから構成され、多くの物理的又は電子式書類のいずれでもよい。コンテンツ・ライブラリ１１１は、システム・ネットワーク１０３を介して、売買システム１０１の他の要素へ相互接続される。コンテンツ・ライブラリ１１１に保存されたデジタル化されたコンテンツはメンバに便利なように、インターネット１１３を介してメンバによりアクセスできる。
【００２１】
コンピュータ１２３は、通信リンク１１７、インターネット１１３、及び通信リンク１１５を介してウェブ・サーバ１０７へ接続する。メンバはウェブ・サーバ１０７へ確認情報を提供し、ウェブ・サーバ１０７はコンテンツ・データベース１０９でそれを確認する。一旦そのメンバが認証されると、そのメンバは、そのメンバは保存と可能な売買のためにどのコンテンツをその売買システム１０１へ提出するかを表示する。一実施形態でメンバは、オンライン形式を介してこの情報を供給し、これはウェブ・サーバ１０７により処理される。そのコンテンツについての情報には、コンパクト・ディスク名、作者、記録年次等があり、そのコンテンツ・データベース１０７へ保存される。どのコンテンツを彼等は提出しようとしているかを表示する書類を提出した後、そのメンバは物理メディア（例えばＣＤ）をシステム・オペレータへ発送する。物理メディア又は電子制御メディア上に保存されないコンテンツは電子的に提出される。電子的に提出されたコンテンツを受け取ると、そのオリジナル・コピーは破棄され又は他の方法で制御される。本発明の一実施形態で、コンテンツはメンバにより、第三者又は第四者から直接システムへ提出される。一実施形態で、提出されたコンテンツに関する情報はまたそのシステムへも提出される。
【００２２】
売買システム・オペレータにより非デジタルの物理メディアを受け取ると、そのコンテンツはデジタル化サーバ１０５を使用してデジタル化され、その結果のデジタル化されたファイルはコンテンツ・ライブラリ１１１に保存される。同様に、売買システム・オペレータにより受け取られたデジタルの物理メディアはコンテンツ・ライブラリ１１１に保存される。更にそのコンテンツ・データベース１０９は物理ＣＤが受け取られたこと、そしてある実施形態ではコンテンツがどこから受け取られたかを反映させるように更新される。これらのステップが終了した後、メンバはそのコンテンツ・ライブラリ１１１からのコンテンツにアクセスし、そして直接彼等のパソコン１２３上にそのコンテンツのデジタル化されたコピーも再生できる。ある実施形態では、コンテンツ・データベース１０７はその所有メンバに対し、又はある場合は他のメンバに対し、そのコンテンツへのアクセスを限定するようにプログラムされる。アクセスの限定は、コンテンツ・アクセス権に対応するコンテンツ・データベース１０７の追加データベース欄の使用により達成される。保存された値は保存コンテンツに対するアクセス権があれば表示する。
【００２３】
メンバが売買システム１０１に保存されたコンテンツの販売又は売買を選択すれば、メンバは彼等のコンテンツと交換で彼等が受け入れるであろう売買ポイント数を表示する。所望する最低売買ポイントはそのコンテンツ・データベース１０９に保存され、そしてそのメンバ及びそのコンテンツと関連づける。
【００２４】
パソコン１２５を使用する第二メンバが表示された売買ポイント数でそのコンテンツの第一メンバのコピーを得ることを望むならば、第二メンバが彼等の勘定に十分な売買ポイントを有する限り、第二メンバはそのコンテンツを購入できる。販売を終了するため、購入メンバはウェブ・サーバ１０７へ購入メンバの勘定から必要な売買ポイントを差し引くように指示し、そしてそのポイントを販売者の勘定へ入れる。次に、ウェブ・サーバは第二メンバがそのコンテンツの所有者であることを反映させるためデータベース１０９を更新する。
【００２５】
販売が終了すると、第二メンバは、コンテンツ・ライブラリ１１１に保存されたコンテンツのデジタル化版に対しては勿論のこと、そのコンテンツを含む物理メディア又はオリジナル電子版の両方の全権利を享受する。第二メンバはそのコンテンツ・ライブラリ１１１から直接デジタル化されたコンテンツを再生又は流し、売買し又は他に別のメンバへコンテンツの所有権を移転させ、又は一実施形態のように、そのコンテンツの物理コピーを作り又は使用のため物理メディア上にそのコンテンツの版をコピーする。システムはメンバによるシステムコンテンツのコピーを追跡し、そして次にコピーの全てがメンバにより消去される迄、今後の売買を制限する。このような追跡は電子透かし方式又は他の技術を介して達成される。
【００２６】
メンバはシステム・データベース１０９からそのコンテンツに関連する作品をダウンロードする。その作品は物理メディアに貼付されるラベル上に印刷される寸法である。例えば、もしそのコンテンツがＤＶＤであれば、その作品は物理ＤＶＤへ貼付するための、又はＤＶＤ宝石箱内に取り付けるため等のラベルのような寸法である。更にコンテンツ情報を含むラベル又は他のレポートが発生する。ラベル又はレポートは第三者広告を含み、システムは第三者広告をそのコンテンツに合わせて作成する（即ちそのコンテンツが料理番組であればその第三者広告は多分料理本又は同様の品物に対してであろう）。ラベルはまた発送封筒として機能するようにフォーマット化されている。即ちそのシステム・プロバイダの発送住所、提出メンバの返却住所及び切手貼付用エリアを含むようにフォーマット化される。
【００２７】
第一メンバ２０１によりコンテンツをそのシステムへ提出するためのプロセスは図２に詳細に示す。ステップ２０１で第一メンバはそのメンバの姓、名、請求住所、クレジット・カード情報等のような会員資格情報を提供することによりその売買システムと契約する。もし第一メンバが彼のコンテンツを売買又は販売することを選ぶならば、そのメンバはステップ２０３で売買ポイント値を割当てる。そのメンバは次にオンライン・メンバ・インタフェース（図示なし）を介して、売買ポイント値を割当て又は変更する。更に、そのメンバはいかなる売買ポイント数でも彼等のコンテンツを売買しないことを選択してもよく、又は単に特定の値を指定せずに提案を受けることを選択してもよい。その割当て売買ポイント値はそのコンテンツの価値を、そしてまた第一メンバからのコンテンツを販売する売買ポイント数を表示する。
【００２８】
ステップ２０５で、その第一メンバはそのコンテンツについての情報を詳述するコンテンツ提出書類を記入する。コンテンツ提出書類はサーバを介してオンラインで記入され、又は鉛筆またはペンで記入される紙の書類である。コンテンツ提出書類は表題、作者、物理メディア等のようなそのコンテンツに関する情報を含む。一旦コンテンツ提出書類が記入されると、メンバはステップ２０７で書類を売買システムへ伝送する。伝送はファクシミリ、郵便、又は通信リンク１１５及びコンピュータ・ネットワーク１１３を介して電子的に行われる。
【００２９】
コンテンツ提出書類はシステムにより、ステップ２０９で受け取られ、そしてその情報はコンテンツ・データベース１０９へ入力される。ユニークなコンテンツＩＤが生成され、ステップ２１１でメンバへ伝達される。ユニークなコンテンツＩＤが、受け取り時にそのコンテンツを確認するためにシステムにより使用される。コンテンツＩＤを受け取ると、メンバはステップ２１３でそのコンテンツＩＤをその物理メディアへ貼付し、そしてステップ２１５でその物理メディアをシステム・オペレータへ発送する。発送はメンバが一時に多くのコンテンツ品目で発送するように１コンテンツ品目以上を含む。
【００３０】
売買システム・オペレータはステップ２１７でそのコンテンツを受け取り、そしてそのコンテンツはステップ２０５でそのメンバによりそのコンテンツ提出書類上で確認された、それであることを確認する。一旦確認されると、コンテンツ・データベース１０９はそのコンテンツがそのシステムにより受け取られたことを表示するように更新される。そのコンテンツもデジタル化され、コンテンツ・ライブラリ１１１に保存される。本発明の一実施形態で、歴史的な透かしがそのコンテンツに適用される。そのメンバはここで、ステップ２１９が図示するように、そのコンテンツ・ライブラリ１１１から直接彼等のコンテンツにアクセスしてよい。例えば、ステップ２２１でそのメンバはデジタル再生機を使用して彼等のコンテンツを再生する。デジタル再生器２２１は図１に図示するように、そのメンバのパソコン内に、又は以下に更に論ずるように図４に図示するように移動デバイス内に、又はケーブル又は衛星テレビのようなマルチ・メディア・セットトップ・ボックス内等に配置される。メンバはまたそのコンテンツのラベルを印刷する。更にそのメンバもまたそのコンテンツのシステム・プロバイダへ続く再提出を促進するため、そのコンテンツのユニークなコンテンツＩＤを印刷する。
【００３１】
図３について、第二メンバは第一メンバにより所有されるコンテンツを、その売買システムを使用して購入する。ステップ３０１で、その第二メンバはそれらの情報を提供することによりそのサービスを契約する。
【００３２】
第二メンバは、そのコンテンツ・データベース１０９を調査することにより、売買に利用可能なコンテンツを調査する。ステップ３０３で、第二メンバはコンテンツ・データベース１０９に保存された１つ以上の欄を使用して、彼等の調査質問を作成し、ステップ３０５で彼等の質問を提出する。ステップ３０７で、その質問の結果は第二メンバへ返信される。その質問結果はそのシステムに保存される１つ以上のコンテンツ及びその所有メンバが売買と交換に望む夫々の売買ポイント数のリストである。更にその質問結果は、そのコンテンツがどのフォーマットで利用できるかについての情報を含む。
【００３３】
ステップ３１１で別のメンバからのコンテンツ購入のための第二メンバの契約はそのシステムへ伝送される。そのシステムはその要求を受け取り、ステップ３１３でその販売を完結するために、彼等の勘定に十分な売買ポイントがあるかどうかを確認する。第二メンバが十分な売買ポイントを有すると仮定すると、そのコンテンツ・データベース１０９は所有権変更を反映させるため更新され、そしてステップ３１７で当事者はその販売、売買、又は他の終了処理について知らされる。第二メンバが十分な売買ポイントを持たない場合、ステップ３１５で第二メンバへ通知が送付され、販売は完結しない。第二メンバは、システム・オペレータへ金銭を支払うか、又は彼等のコンテンツのいくらかを販売し、これにより追加の売買ポイントを発生させるかのいずれかにより彼等の勘定へ追加の売買ポイントを加える。第二メンバもまたステップ３０９で更なるコンテンツを調査する。
【００３４】
ステップ３１９で、コンテンツ購入が完結した後、第二メンバは彼等に発送された物理メディアを有するように選択する。この場合、第二メンバはステップ３２１でそのようにその売買システムを認識する。システムはステップ３２３でそのコンテンツを発送する要求を受け取り、コンテンツ・ライブラリ１１１からそのコンテンツを除去し、そのコンテンツ・データベース１０９を更新し、そしてステップ３２３で、その物理コンテンツを第二メンバへ発送する。第二メンバはステップ３２５で彼等のコンテンツを受け取り、これによりその処理を完結する。
【００３５】
第二メンバがステップ３１９で、その物理コンテンツを彼等に発送しないことを選択する場合、そのコンテンツはその売買システムに留まり、そしてステップ３２７で第二メンバにより使用可能になる。第二メンバはコンテンツ・ライブラリ１１１を介して彼等のコンテンツへアクセスし、そしてステップ３２９で彼等のコンテンツを再生する。デジタル再成器３２９は図１に図示するように、そのメンバのパソコン内に又は以下で更に論ずるように図４で図示するように、移動デバイス内に配置される。
【００３６】
図４に関して、メンバは、外部システム４０１からコンテンツを購入し、そして外部システム４０１にそのコンテンツを直接そのメンバの勘定へ送付する。第三者システムは、メンバの勘定に算入するため、そのコンテンツをそのシステムへ直接提出できる。同様にメンバはそのシステム・プロバイダが第三者システムからのコンテンツ購入を促進するように指示する。メンバは購入時又は後刻のいずれかで、そのコンテンツの評価をする。
【００３７】
図５に少し関して、メンバが外部システム５０１からコンテンツを購入する場合、その外部システム５０１はコンテンツ提出書類上に含まれる情報を直接システムへ電子的に、又は紙の書類を使用して伝送する。外部システム５０１は、又ステップ２１３に図示するコンテンツを電子的にそのシステムへ「発送」し、又はそれは上で論じたように、そして図２に図示したように、又は両方、でそのコンテンツの物理コピーをそのシステムへ発送してもよい。
【００３８】
図４に関して、メンバはまたコンテンツを他の外部システム４０１へ販売する。メンバによる購入及び販売は、交信経路４０３を介して、その処理に関する指示をそのシステム１０１へ伝達し、そしてそのシステム１０１が直接外部システム４０１と交信させることにより促進される。私的な交信部分（表示なし）をそのシステム１０１と外部システム４０１の間で確立してもよい。データの暗号化はそのシステム１０１及びその外部システム４０１の間で使用される。
【００３９】
メンバは交信経路４０３を介して、外部システム４０１と直接情報交換する。その外部システム４０１は、ウェブ・サーバ４０５のようなユーザ・インタフェース・システムを介して操作され、コンテンツをデータベース４０７へ保存する。そのメンバはまた、移動デバイス４０９を介して、外部システム４０１と直接情報交換する。移動デバイス４０９はセルラ電話、又は他のパーソナル通信デバイスのようないかなる移動デバイスも含む。その移動デバイス４０９を介して、メンバはコンテンツの販売又は購入を調査し、促進するため、そのシステム１０１又は外部システム４０１のいずれかと情報交換する。もし購入したコンテンツが外部システム４０１からのものであれば、そのコンテンツは、そのメンバの勘定へ保存するため、そのシステム１０１へ配送される。同様に、もしそのコンテンツが外部システム（又は外部システム４０１のメンバ）へ販売されれば、そのコンテンツは、保存のため外部システム４０１へ配送され、そのメンバの勘定から除去される。更に移動デバイス４０９又は別の通信可能デバイスを介して、そのメンバはそのシステムに保存されたコンテンツを移動デバイス４０９へダウンロードするように指示をする。そのメンバはまたそのシステムに、移動デバイス４０９から又はパソコン１２３のような別の通信可能デバイスを介して、保存コンテンツを移動デバイス４０９へ流すように指示する。
【図面の簡単な説明】
【００４０】
これら及び本発明の他の特徴と態様は、その明細書、特許請求の範囲及び付属図面に関してよりよく理解されるようになると同様に、認識されるだろう。
【００４１】
【図１】本システムの一実施形態での全体構造の詳細を示す。
【００４２】
【図２】コンテンツ提出及び証明の間の特定ステップを図示する。
【００４３】
【図３】コンテンツ販売の間の特定ステップを図示する。
【００４４】
【図４】本システムの一実施形態での全体構造の詳細を示す。
【００４５】
【図５】外部システムからのコンテンツ購入の間の特定ステップを図示する。
【符号の説明】
【００４６】
101売買システム
103システム・ネットワーク
105デジタル化サーバ
107、405ウェブ・サーバ
109コンテンツ・データベース
111コンテンツ・ライブラリ
113インタネット
115、117、119、121、403、411、413、415：通信リンク
123、125、127：パソコン
401外部システム
407データベース
409移動デバイス
【図１】
2007535730.tif 000003
【図２】
2007535730.tif 000004
【図３】
2007535730.tif 000005
【図４】
2007535730.tif 000006
【図５】
2007535730.tif 000007
【国際調査報告】
2007535730.tif 000008